(57)【要約】  本発明は、スポーツクライミング用のクイックドローに関し、クイックドローは、接続要素（５）によって保持される２つのカラビナ（４，６）を備え、接続要素は、２つの端部それぞれにカラビナ（４，６）用のループ（５ｂ，５ｃ）が設けられた中央部を有する。この接続要素（５）は、ループ（５ｂ，５ｃ）の間に又はループの片方近傍で、該中央部に少なくとも１つのセンサ（５ｙ）を備える。クイックドローの最小限の動き又は接触の結果、少なくとも１つのセンサ（５ｙ）は、スポーツ選手（Ａ）によるクイックドローの使用が契機となり、スマートフォンおよび／又はコンピュータ（Ｃ）と通信する基地局（Ｓ）によって受信される電気的な信号を発信し、該信号は、結果となる対応する値をディスプレイに表示させ又は図示させるために、処理され、記憶され、以前に記憶された信号と比較されることが可能である。
2020508762.tif 000002
【特許請求の範囲】
【請求項１】
スポーツクライミング用のエクスプレススリングであって、
接続要素（５）によって保持される２つのカラビナ（４，６）を備え、
前記接続要素は、中央部と、前記カラビナ（４，６）用のスリング（５ｂ，５ｃ）を有する２つの端部を有し、
前記接続要素（５）は、前記スリング（５ｂ，５ｃ）の間に、又は、前記スリングの片方近傍で、前記中央部に少なくとも１つのセンサ（５ｙ）を備え、
前記少なくとも１つのセンサ（５ｙ）は、スポーツ選手（Ａ）の使用により、前記エクスプレススリングの最小限の動き又は接触の結果、電気的な信号を送信し、
前記信号は、スマートフォン又はコンピュータ（Ｃ）と通信する基地局（Ｓ）によって受信されて、前記信号が処理され、記憶され、且つ、結果となる対応する値を表示モニタに表示させ又は図示させるため以前に記憶された信号と比較可能であることを特徴とするエクスプレススリング。
【請求項２】
前記少なくとも１つのセンサ（５ｙ）は、加速度計又は慣性加速度計であることを特徴とする、請求項１に記載のエクスプレススリング。
【請求項３】
前記少なくとも１つのセンサ（５ｙ）は、赤外線センサ、ジャイロセンサ、磁気センサ、又はＮＦＣ（近距離無線通信）センサであることを特徴とする、請求項１に記載のエクスプレススリング。
【請求項４】
前記少なくとも１つのセンサ（５ｙ）によって生成された前記信号は信号プロセッサにより処理され、
前記基地局（Ｓ）に送信された前記信号は、個々のエクスプレススリングの特定の信号として認識可能であることを特徴とする、請求項１に記載のエクスプレススリング。
【請求項５】
前記センサ（５ｙ）又は幾つかの前記センサは、前記信号プロセッサおよびバッテリパワーパックと共に、バッテリ交換を容易にするための開口フラップを備える管状又は扁平な保護スリーブ（５ｘ）に収容されることを特徴とする、請求項１に記載のエクスプレススリング。
【請求項６】
前記保護スリーブ（５ｘ）は、前記接続要素（５）の前記中央部（５ａ）に挿入されることを特徴とする、請求項１に記載のエクスプレススリング。
【請求項７】
前記保護スリーブ（５ｘ）は、前記接続要素（５）の外側に又はターゲット領域における「チェーン」に、別個のポケットに挿入され、又は、ベルクロ（登録商標）ファスナ（５ｚ）又は他の公知の留め具で固定されることを特徴とする、請求項１に記載のエクスプレススリング。
【請求項８】
前記センサ（５ｙ）は、加速度センサの一種であり、例えば、ジャイロセンサおよび／又は磁気センサ、赤外線センサ、ＮＦＣ（近距離無線通信）センサ等の１つ又は複数のセンサと組み合わせられることを特徴とする、請求項１に記載のエクスプレススリング。
【請求項９】
前記少なくとも１つのセンサ（５ｙ）は、ジャイロセンサ、磁気センサ、赤外線センサ、又はＮＦＣ（近距離無線通信）センサであることを特徴とする、請求項１に記載のエクスプレススリング。
【発明の詳細な説明】
【技術分野】
【０００１】
本発明はスポーツクライミング用のエクスプレススリングに関し、該エクスプレススリングは、例えば合成繊維（ダイニーマ又はナイロン）等から成る織物材料の要素によって接続されている２つのカラビナから本質的に構成され、スリングは使用頻度を表示する目的でデータ収集システムに統合されている。
【背景技術】
【０００２】
２つのカラビナを有する接続スリングは、一般的に「エクスプレススリング」といい、スポーツ選手が自身のロープをセーフティポイントに引っ掛けることを可能にする安全装置であり、これには幾つかの安全上の利点があり、クライミングをより容易なものとする。既知のように、人工的なウォールとグリップを模倣し、クライミングルート上端のターゲット領域と複数のセーフティポイントを備えるスポーツクライミングストラクチャは、「チェーン」ともいい、ターゲット領域のみならず様々なセーフティポイントに、エクスプレススリングが設けられ、これは、所定の使用期間後、安全上の理由により交換される。該公知のエクスプレススリングは、それぞれのセーフティポイントとターゲットポイントにカラビナで取り付けられ、それぞれ「チェーン」である。クライミング中、スポーツ選手は次々に、各エクスプレススリングの２つ目の（空いている）カラビナに自身のロープを取り付ける。個別のカラビナの代わりにエクスプレススリングを使用することには、幾つかの利点があり、それは、例えば、（ジグザグラインがあまり強調されない）理想的な上方移動ラインにより近いコースに沿ったロープの移動がより妨害されないこと、ロープとウォールとの距離がより大きくなること、ロープの長さを（あまりジグザグでない）最適に使用できることなどである。
【０００３】
上記利点により、人工的なクライミングウォール、クライミングストラクチャおよびクライミングガーデンでのスポーツクライミング用のエクスプレススリングが早く広く流通してきている。クライミング競技のみならずトレーニングに関して、使用される個々のエクスプレススリングおよびセーフティポイントの位置、それら一連の配置、あるセーフティポイント又はセーフティスリングから次への、それぞれの「チェーン」への移動に要する時間を把握することが重要である。更にクライミングストラクチャに設けられた全てのクライミングルートを最適に使用し得るためには、好まれる使用や使用されないことについての考えられる理由を判断し、変更により、あまり使用されていないルートの使用程度を上昇させることができるように、個々のルートの使用頻度を把握することが重要である。個々のルートの使用頻度に関する情報の収集は、その任務を受けた人による観察に基づいて行われ、ユーザに課された質問に基づいて行われてもよい。クライミング中に使用されるセーフティポイントの順序および指定回数に関するデータの収集は困難であり、あまり正確でない。そのようなデータの収集は一般的に、「地上の」人が行い、その人の視覚能力および反応力に左右される。更に、頻繁に落下が起こる様々なルート、又は、ユーザがあまりにも容易に登ることができるルートの個々の領域を検知することは困難である。様々なルートの使用頻度および上述のより難しい又はそれ程難しくない領域に関する情報を記録し収集するために、ビデオカメラを用いることが知られている。しかし、幾つかのビデオカメラを搭載したシステムは高価であり、その記録の評価は時間がかかるもので、主観的であり、特にルートの変更を要する領域の検知および評価は困難である。
【０００４】
米国特許出願公開第２０１５００２７８０８号公報には、ロープに固定された人の落下の際にのみ救急隊員に信号を自動送信する「インテリジェントな」セーフティロープを備える、人のための安全装置が開示されている。この装置は、自身の落下又は特定の応力によって作動されることないクライミングアクティビティ中のスポーツ選手による「インテリジェントなセーフティロープ」の使用の信号伝達には適していない。更に、救急隊員に通報する上記システムは、様々な情報データをスポーツ選手に提供し、また、多様なクライミングルートに伴うクライミングガーデンの最適な使用を可能にするように、該使用の信号送信および記録、および、スポーツ選手によるエクスプレススリングが設けられた幾つかのセーフティポイントを通過するクライミング用には設計されていない。
【０００５】
米国特許出願公開第２００１１/０１０３５５８号公報から、作動時に警告信号を救急隊員に送信する応力センサを搭載した「落下」安全装置が公知である。この装置も、落下の場合にのみ作動され、本発明のエクスプレススリングが設けられた幾つかのセーフティポイントを使用するスポーツ選手の通過の信号伝達およびスポーツ選手に有用な情報を提供するデータの記憶およびクライミングガーデンの運用には適していない。
【発明の概要】
【０００６】
本発明の目的は、上記のようなデータ収集システムを伴うエクスプレススリングを創造することであり、使用頻度の表示を伴い、以下を可能するために装備される：
・様々なセーフティポイントでの引っ掛け時間又はクライミングルートに沿った個々のセーフティポイントでの引っ掛け動作間の時間に関する情報の正確な収集
・ターゲット領域（「チェーン」）に到達する時間の記録
・個々に使用されるセーフティポイントおよび／又は使用されるルートの位置に関する情報の収集
・様々な領域および「キー領域」および／又はルートに沿った領域を横断する容易さに関する情報収集
・個々のセーフティポイントでの落下頻度に関する情報収集
・クライミングストラクチャに沿った個々のルートの使用頻度に関する情報収集
【０００７】
この目的は、本発明によれば、大部分が織物材料から成り、好ましくは交換可能なエクスプレススリング用の接続要素に設けられた信号処理装置を備える少なくとも１つのセンサが設けられることよって解決され、センサは、スポーツ選手によるエクスプレススリングの任意の方向の変化又は接触を検出可能である。上記信号は、これらのデータを処理および／又は表示および／又は記憶するのに適したスマートフォン、コンピュータ、または特定の受信機によって、自律的に又は通信しているスマートフォン又はコンピュータに信号を送信することによって、直接受信されてもよい。
【０００８】
本発明に係るセンサは、モニタディスプレイを縦から横又はその反対方向に回転させる目的で傾斜計としてスマートフォンにおいて用いられるもののような加速度センサの小形版であってもよい。センサは、現在の測定システムによって記録される電気的な信号によって任意の位置変化を示してもよい。適用可能であれば、センサは、様々なセンサ（例えば、赤外線センサ、ジャイロセンサ、磁気センサ、ＮＦＣ（近距離無線通信）センサ）と組み合わせられてもよい。クライミングルートに沿った個々のエクスプレススリングからの個々の信号は、信号プロセッサを用いて１つ又は複数のセンサによって送信され、クライミングルートに沿ったエクスプレススリングの位置および順次の使用に関するデータを収集するための（例えば、特定の頻度を有する）特定の「個々の」信号であり、使用される他のエクスプレススリングに関してクライミングルートに沿った対応する位置への割り当ておよび検出が可能となる。
【０００９】
本発明に係るエクスプレススリング用接続要素は、確実にバッテリ交換がユーザにとって容易になるように、その内側にセンサを対応する信号プロセッサおよびバッテリパワーアダプタと共に収容してもよい。これは、個別に形成されたポケット、スリーブ、又は、例えばベルクロ（登録商標）ファスナ状の支持要素を用いて外側に取り付けることを除外しない。後者のタイプの使用は、特に、一般的に「チェーン」によって定義されるターゲット領域に役立つ。もちろん、エクスプレススリングの機能性を低下させないように、センサは、信号プロセッサおよびバッテリと共に取り付けられる。センサは、信号プロセッサおよびバッテリと共に、バッテリ交換に適したデザインを有し保護スリーブとして機能するプラスチック製のスリーブに有利に収納される。
【図面の簡単な説明】
【００１０】
本発明に係るエクスプレススリングの好適な実施形態の添付の概略図を用いて、本発明を以下更に詳細に説明する。図面は、説明を目的とするものであって、それに限定することを目的としない。
【００１１】
【図１】クライミングウォール上のセーフティポイントに引っ掛けられた、本発明に係るエクスプレススリングの側面図である。
【００１２】
【図２】図１に示す断面ＩＩ−ＩＩに沿う、本発明に係るエクスプレススリングの接続要素の縦断面図である。
【００１３】
【図３】図１に示す断面ＩＩＩ−ＩＩＩに沿う、本発明に係るエクスプレススリングの接続要素の横断面図である。
【００１４】
【図４】エクスプレススリングの外側にベルクロ（登録商標）ファスナが取り付けられた、センサ、信号プロセッサ、およびバッテリを備える、本発明に係るエクスプレススリングの側面図である。
【００１５】
【図４ａ】図４に示す断面ＩＩ−ＩＩに沿う、エクスプレススリングの拡大縦断面図である。
【００１６】
【図５】本発明に係るエクスプレススリングを有する幾つかのセーフティポイントが設けられたクライミングウォール上のスポーツ選手、スポーツ選手によって作動された個々の本発明のエクスプレススリングのセンサが送信した信号を受信する基地局、および基地局を介して送信されたデータ／値を表示するＰＣを示す図である。
【発明を実施するための形態】
【００１７】
本発明に係るエクスプレススリングは、既知の方法で構成され、次の構成を備える：
・第１カラビナ４。クライミングウォール１にスクリュー２で取り付けられるセーフティポイントのリング３に、より容易に引っ掛けるための特定のデザインを有していてもよい。
・織物材料の接続要素５
・第２カラビナ６。より容易にロープ８に引っ掛けるため、カラビナ４とは異なる特定のデザインを有していてもよい。
【００１８】
本発明に係る接続要素５は、公知のエクスプレススリングに広く用いられている種類の織物材料のバンドから成り、一端にカラビナ６用のスリング５ｂを、他端にカラビナ４用のスリング５ｃを有する、中央長手方向部５ａから構成されていてもよい。長手方向中央部５ａは、好ましくは、管状であり、カラビナ４をセーフティポイントのリング３に取り付けるためのスリング５ｃ近傍に少なくとも１つの開口を備え、開口は、センサ５ｙを信号プロセッサおよびバッテリパワーパックと共に内側に収容する管状スリーブ５ｘを挿入するのに適している。本発明は、センサ５ｙを信号プロセッサおよびバッテリと共に、例えば扁平形状等の異なる形状のスリーブに収容することを除外するものではなく、接続要素５の中央部５ａの外側に、又は、例えば、カラビナ４又は６を取り囲む部分近傍に取り付けられてもよい。個別のポケット又は凹部が本質的に、例えばベルクロ（登録商標）ファスナを介して利用できる外側の留め具用に、好ましくは扁平の保護スリーブ５ｘが、例えばベルクロ（登録商標）ファスナ５ｚによって、接続要素５に又はターゲット領域における「チェーン」で取り付け可能であることを除外することなく、設けられてもよい（図４、４ａ）。
【００１９】
本発明によれば、ウォール７を登るとき、スポーツ選手Ａは、クライミングルートに沿ってリング３を有するセーフティポイントに取り付けられた様々なエクスプレススリング５にロープ８を引っ掛け、これにより、個々のセンサ５ｙが作動される。この作動は、ロープ８の引っ掛けの際に、個々のエクスプレススリング５の傾きを変化させること、又は、個々のエクスプレススリング５と接触させることによって生じ、クライミングウォール７の下部でセーフティ要員Ｂによってコントロールされる。従って、個々のセンサ５ｙの作動は、スポーツ選手Ａの落下によっては生じないが、ロープ８が、セーフティポイントでエクスプレススリング５を伴うリング３において、個々のエクスプレススリング５に引っ掛けられることで生じる。使用されるエクスプレススリング５それぞれのセンサ５ｙによってスポーツ選手Ａのクライミング中に順次送信される信号は、基地局Ｓによって受信され、認識され、スマートフォン又はコンピュータに送信されて、信号が処理され、表示され、以前の同一の又は異なるルートに沿ったクライミングの結果として記憶された値と比較されて、個々のルート／セーフティポイントの使用頻度が示され、これにより、個々のルートの使用を最適化し、困難の程度を評価し、ルートを登るために必要な合計時間又は部分的な時間を表示し、また、記録時間を表示することも可能にできる。
【図１】
2020508762.tif 000003
【図２】
2020508762.tif 000004
【図３】
2020508762.tif 000005
【図４】
2020508762.tif 000006
【図４ａ】
2020508762.tif 000007
【図５】
2020508762.tif 000008
【国際調査報告】
2020508762.tif 000009
2020508762.tif 000010
2020508762.tif 000011
2020508762.tif 000012